(57)【要約】【課題】  ＡＴＭで取扱可能な取引カードを顧客が認識できる表示画面を提供する。【解決手段】  ＡＴＭで共用カードを利用する場合、初期画面２２において利用可能な銀行カード（ボタン）、クレジットカード（ボタン）を表示し、銀行カードのボタンを選択すると該銀行の取引可能な取引科目を表示する。【選択図】    図４
2010176712.tif 000002
【特許請求の範囲】
【請求項１】
利用可能な所定の金融機関の取引を行うことが出来る自動取引装置であって、
金融機関の取引を行うことが出来る銀行カード及びクレジットカードが一体となった共用カードが挿入された場合、
銀行カード及びクレジットカードでの取引を示すボタンを表示し、
前記顧客が利用したい銀行カード又はクレジットカードでの取引を示すボタンが選択されると、選択された銀行カード又はクレジットカードで実行可能な取引科目を表示することを特徴とする自動取引装置。
【請求項２】
利用可能な所定の金融機関の取引を行うことが出来る自動取引装置を有する自動取引システムであって、
前記自動取引装置は、金融機関の取引を行うことが出来る銀行カード及びクレジットカードが一体となった共有カードが挿入された場合、
銀行カード及びクレジットカードでの取引を示すボタンを表示し、
前記顧客が利用したい銀行カード又はクレジットカードでの取引を示すボタンが選択されると、選択された銀行カード又はクレジットカードで実行可能な取引科目を表示することを特徴とする自動取引システム。
【請求項３】
利用可能な所定の金融機関の取引を行うことが出来る自動取引装置であって、
金融取引を行うことが出来る複数のカードが一体となった共用カードが挿入された場合、
前記複数のカードを選択させるボタンを表示し、
前記顧客が利用したいカードのボタンが選択されると、選択されたカードで実行可能な取引科目を表示することを特徴とする自動取引装置。
【発明の詳細な説明】
【技術分野】
【０００１】
本発明は、金融機関で取り扱われる現金自動取引装置（ＡＴＭ：automated‐teller machine）のような自動取引装置を顧客が操作して取引を行う自動取引システムに関し、特に、前記取引装置に取引カードによる取引のための画面を表示するのに好適な自動取引システムおよび前記画面を表示するためのプログラムに関する。
【背景技術】
【０００２】
銀行等の金融機関で取り扱われるＡＴＭは、当該金融機関のホストコンピュータに通信可能に接続されており、顧客の操作に応じた取引に必要な情報を、前記ホストコンピュータから取得する。ＡＴＭは、取引のための金融機関の情報等を与えられたキャッシュカードのような取引カードに基づいて取引を行い、一般的に、自行の取引カードによる取引に限らず、そのホストコンピュータと交信可能な他行の取引カードによる取引をも取り扱う。
【０００３】
ところで、ＡＴＭには、顧客に向けて取引の情報を表示するためのタッチスクリーンのような表示部が設けられている。ＡＴＭは、所定の近接センサにより顧客の到来が感知されると、顧客に取引カードの挿入を促すと共に、前記した表示部に、取引科目を選択するための所定の初期画面を表示する。初期画面には、自己の金融機関で実行可能な取引科目が表示され、当該ＡＴＭにより取引が受け付けられている限り、この初期画面が前記表示部に表示される。
【０００４】
ＡＴＭは、取引カードを供給されると、この取引カードに与えられている金融機関の情報等を読み取り、読み取った情報とホストコンピュータから取得した情報とに基づいて、当該取引カードの利用が可能であるか否かを判定する。その結果、利用が可能であれば、顧客からの取引科目の選択指示を受け付け、不可能であれば、当該取引カードが受け付けられない旨を顧客へ通知すると共に、取引カードを返却する。  
【発明の概要】
【発明が解決しようとする課題】
【０００５】
しかしながら、前記した従来の技術では、挿入した取引カードが当該ＡＴＭで受け付けられない場合、ＡＴＭは、その理由を明示することなく取引カードを返却することから、当該顧客は、取引カードを返却された原因が、そのカード自体にあるのか、あるいは金融機関側の都合にあるのかを認識することができず、顧客に不安感を与えていた。
【０００６】
しかも、前記したＡＴＭに自動的に示される初期画面は、自己の金融機関の取引カードに対応した画面であることから、この初期画面により、他の金融機関の取引カードが利用できるか否かを判断することは困難である。そのため、他の金融機関の取引カードを利用する時に、たとえ実際には当該カードが利用不可であっても、顧客はその旨を知り得ないことから、利用できない当該カードをＡＴＭに供給してしまうという不都合が生じていた。
【０００７】
また、１枚の取引カードで複数の金融機関を選択的に利用できる、いわゆる共用取引カードによる取引では、一般的に、優先的に取引される金融機関が予め設定されている。しかしながら、当該ＡＴＭを利用する顧客にそのような認識がない場合は、自動的に取引された金融機関が、その顧客の意図しない金融機関であることがあり、その場合、顧客にとって不本意な取引となっていた。
【０００８】
本発明は、利用する自動取引装置で取扱い可能な取引カードを、顧客が認識することができる自動取引システムを提供することを目的とする。
【課題を解決するための手段】
【０００９】
本発明の基本構想は、自動取引装置での取引に先立って、当該自動取引装置での取り扱いが可能な取引カードを示すカード情報を、ホストコンピュータから自動取引装置へ供給し、これにより取得したカード情報に基づく各取引カードを顧客に向けて表示することにある。
【００１０】
本発明は、前記した基本構想に基づく以下の構成を採用する。
〈構成１〉
利用可能な所定の金融機関の取引を行うことが出来る自動取引装置であって、金融機関の取引を行うことが出来る銀行カード及びクレジットカードが一体となった共用カードが挿入された場合、銀行カード及びクレジットカードでの取引を示すボタンを表示し、前記顧客が利用したい銀行カード又はクレジットカードでの取引を示すボタンが選択されると、選択された銀行カード又はクレジットカードで実行可能な取引科目を表示することを特徴とする。
【００１１】
〈構成２〉
利用可能な所定の金融機関の取引を行うことが出来る自動取引装置を有する自動取引システムであって、前記自動取引装置は、金融機関の取引を行うことが出来る銀行カード及びクレジットカードが一体となった共有カードが挿入された場合、銀行カード及びクレジットカードでの取引を示すボタンを表示し、前記顧客が利用したい銀行カード又はクレジットカードでの取引を示すボタンが選択されると、選択された銀行カード又はクレジットカードで実行可能な取引科目を表示することを特徴とする。
【００１２】
〈構成３〉
利用可能な所定の金融機関の取引を行うことが出来る自動取引装置であって、金融取引を行うことが出来る複数のカードが一体となった共用カードが挿入された場合、前記複数のカードを選択させるボタンを表示し、前記顧客が利用したいカードのボタンが選択されると、選択されたカードで実行可能な取引科目を表示することを特徴とする。
【発明の効果】
【００１３】
本発明によれば、自動取引装置による取引に先立って、取扱が可能な取引カードの取引を示すボタンを選択して取引科目を表示するようにしたので、顧客は、利用しようとする取引カードが当該自動取引装置で受け付けられるか否かを認識することができる。
【図面の簡単な説明】
【００１４】
【図１】本発明に係る具体例の自動取引システムを示すブロック図である。
【図２】具体例のＡＴＭの外観を示す斜視図である。
【図３】具体例の取引情報テーブルを説明するための説明図である。
【図４】具体例の初期画面を説明するための説明図である。
【図５】具体例の取引科目選択画面を説明するための説明図（その１）である。
【図６】具体例の取引科目選択画面を説明するための説明図（その２）である。
【図７】具体例の取引科目選択画面を説明するための説明図（その３）である。
【図８】具体例の動作手順を示すフローチャートである。
【発明を実施するための形態】
【００１５】
以下、本発明の実施の形態を具体例を用いて説明する。
〈具体例１〉
本発明に係る自動取引システム１０は、図１に示すように、金融機関１１のホストコンピュータ１２と、該ホストコンピュータに所定の通信回線を介して通信可能に接続されたＡＴＭ（automated‐teller machine）１３とを備える。自動取引システム１０は、自行となる金融機関１１の取引に限らず、当該金融機関と提携関係にある図示しない他の金融機関に関する取引をも取り扱う。
【００１６】
自動取引システム１０では、取引のための金融機関に対応した取引カードに基づく取引が行われる。前記取引カードとして、例えば、従来よく知られたキャッシュカード、あるいはクレジットカードを用いることができる。これらの各取引カードには、取引を行う金融機関の情報および該金融機関の所定の顧客の情報などが与えられている。
【００１７】
ホストコンピュータ１２は、金融機関１１に関わる各顧客の個人情報および顧客毎の取引履歴等を保持する従来よく知られたマスタデータベース（図示なし）と、後述する取引情報テーブル２１を保持する記憶部１２ａを備える。本具体例のホストコンピュータ１２は、マスタデータベースおよび記憶部１２ａの情報を、ＡＴＭ１３からの要求に応じて該ＡＴＭに供給する。また、ホストコンピュータ１２は、従来におけると同様に、当該ホストコンピュータと交信が可能な他の金融機関のホストコンピュータから、必要に応じて、前記他の金融機関の取引のための情報を取得する。
【００１８】
ＡＴＭ１３は、ホストコンピュータ１２から供給される情報を保持する記憶部１４と、該記憶部の情報に基づいて取引のための画面を表示する表示部１５と、該表示部に前記画面を表示するための制御動作を行う表示制御部１６とを備える。
【００１９】
表示制御部１６は、その制御動作において、前記した取引情報テーブル２１を、所定の時間毎にホストコンピュータ１２へ要求し、この要求に応じて供給された前記テーブル２１を記憶部１４に保持させる。さらに、表示制御部１６は、記憶部１４に保持させた取引情報テーブル２１に基づく画面を表示部１５に表示させる。ホストコンピュータ１２への取引情報テーブル２１の要求は、所定時間毎の実行に代えて、顧客の取引毎に行うことができる。
【００２０】
前記した表示部１５として、本具体例では、従来よく知られたタッチスクリーンが用いられており、顧客の手指によるスクリーン表面への接触により、接触した画面部分に対応する指示がＡＴＭ１３に供給される。
【００２１】
図２は、前記ＡＴＭ１３の外観を示す斜視図である。
ＡＴＭ１３は、図２に示すように、Ｌ字状をなすハウジング１７の中央水平部分に、前記した表示部１５を備える。ハウジング１７の上部の前面部分には、取引カードの挿入および排出が行われるカード取扱口１８、取引毎の取引明細票が出力される明細票取出口１９および現金の受け入れおよび排出が行われる現金取扱口２０が設けられている。
表示部１５を用いた取引操作は、スクリーン表面への直接的な接触に代えて、前記表示部１５の画面部分に対応した指示ボタンを表示部１５の近傍に設け、このボタンの押下により、当該画面部分に対応した指示を行うようにすることができる。
【００２２】
ところで、ホストコンピュータ１２に保持される前記した取引情報テーブル２１は、図３に示すように構成されている。図示の例では、自動取引システム１０で取り扱い可能な取引カードを示す「取引カード」と、各カード毎に取り扱われる取引科目を示す「取引科目」と、各取扱科目の取扱いに関する所定の時間制限を示す「取扱時間」および取扱い時間毎に設定されている手数料を示す「手数料」とが項目として設けられ、これらの各項目に対応して、取引科目および時間などの情報が格納されている。
【００２３】
取引情報テーブル２１には、前記した情報の他に、「取引カード」の欄に示される各取引カードの取扱い時間についての情報を、例えば「カード受付時間」を項目として追加することができる。この「カード受付時間」の情報は、前記した「取扱時間」の情報を各取引カード毎に集約した情報に一致させることが望ましい。一例として、金融機関１１であるＡ銀行の取引カードを挙げると、Ａ銀行カードの「取扱時間」の情報は、図３に示されるように、いずれも８時から２１時の間に存在することから、Ａ銀行カードの「カード受付時間」に、「８：００−２１：００」との情報を与えることができる。
この他、取引情報テーブル２１には、曜日別のカード取扱情報あるいは各取引カードの取扱い限度額などを適宜追加することができる。
【００２４】
前記した取引情報テーブル２１に沿った取引では、例えば、Ａ銀行の取引カードにより、ＡＴＭ１３で１０時に預金の引出しが行われる場合、手数料は必要とされず、同カードで１９時に振込みが行われる場合、振り込み手数料とは別に１０５円の手数料が加算される。
【００２５】
本具体例では、前記したような取引情報テーブル２１が、ホストコンピュータ１２からＡＴＭ１３へ一括的に供給されるが、これに代えて、複数のテーブル部分に適宜分割して供給することができる。例えば、取引カード毎のテーブル部分を必要に応じて供給する、あるいは「取引カード」の項目に対応する情報をカード情報として適宜供給することができる。
【００２６】
ＡＴＭ１３では、顧客が到来したとき、図４に示すような初期画面２２が表示部１５に表示される。初期画面２２には、後述する各カードボタンの中から、所望の取引カードを選択して押下するよう顧客に促す「ご希望のカードボタンを押してください。」との案内が表示される。
【００２７】
この初期画面２２は、図４に示すように、取引可能な取引カードが選択可能に表示されるカード表示領域２３を有する。カード表示領域２３には、ＡＴＭ１３で扱われる全ての取引カードに対応したカードボタン（２３ａ〜２３ｃ）が設けられており、これらのボタンのうち、顧客の取引時に利用できる取引カードに対応するカードボタンが、それぞれ選択可能に表示される。選択可能に表示された何れかのカードボタンへの接触により、当該ボタンに対応する取引カードを選択した旨がＡＴＭ１３に通知される。
【００２８】
図４に示された例では、金融機関１１となるＡ銀行の取引カードを示すＡ銀行カードボタン２３ａ、Ａ銀行を除く他の所定の銀行の取引カードを示す他行カードボタン２３ｂおよびクレジットカードを示すクレジットカードボタン２３ｃが、それぞれ選択可能に表示されている。
【００２９】
これらの各カードボタン２３ａ〜２３ｃを表示するにあたり、ＡＴＭ１３の表示制御部１６は、取引情報テーブル２１における各「取引カード」毎の「取扱時間」の情報に基づいて、表示の有無を判定する。すなわち、顧客の到来した時刻が、例えばＡ銀行カードに対応する何れかの取引科目を利用できる時刻であれば、Ａ銀行カードボタン２３ａを選択可能に表示する。また、これに代えて、図示しない前記した「カード受付時間」の情報に基づいて、カードボタンの表示の有無を判定することができる。
【００３０】
顧客の到来時刻が、Ａ銀行カードのいずれの取引科目をも利用できない時刻であった場合は、Ａ銀行カードボタン２３ａが選択不可であることを顧客に明示すべく、当該カードボタン２３ａを非表示とする。このとき、初期画面中の当該カードボタン２３ａの近傍に、「ただいまの時間は取扱時間外のため、お取扱いできません。」のような、選択不可とする理由を表示することが好ましい。
【００３１】
前記した初期画面２２において、例えば、Ａ銀行カードボタン２３ａが選択された場合、図５に示す取引科目選択画面２４ａが表示される。
この取引科目選択画面２４ａには、顧客に取引カードの挿入を促すと共に、Ａ銀行カードに対応した取引科目の選択を促す「カードを挿入して、ご希望のお取引ボタンを押してください。」との案内が表示される。
【００３２】
取引科目選択画面２４ａは、取引が可能な取引科目が表示される取引科目表示領域２５を有する。取引科目表示領域２５には、取引科目を示す取引ボタン（２５ａ〜２５ｄ）が設けられており、これらの取引ボタンのうち、取引可能な取引科目に対応するボタンが選択可能に表示される。これにより、顧客は、取引に先立って、Ａ銀行カードで何れの取引科目を実行することができるかを認識することができる。
【００３３】
図５に示された例では、取引科目表示領域２５に、預金の引き出しを示す「お引出し」ボタン２５ａ、預け入れを示す「お預入れ」ボタン２５ｂ、振込みを示す「お振込み」ボタン２５ｃおよび残高照会を示す「残高照会」ボタン２５ｄが、それぞれ選択可能に表示されている。顧客は、選択可能に表示されたカードボタンへの接触により、当該取引科目の実行を指示することができる。
【００３４】
また、取引科目選択画面２４ａには、取引を中止するための取り消しボタン２６が設けられており、この取り消しボタン２６への接触により、再び、表示部１５に初期画面２２が表示される。
【００３５】
前記した初期画面２２において、他行カードボタン２３ｂが選択された場合、図６に示す取引科目選択画面２４ｂが表示部１５に表示される。取引科目選択画面２４ｂには、取引科目選択画面２４ａにおけると同様な取引科目表示領域２５が設けられている。図示の例では、取引科目表示領域２５に、当該他行カードで取引が可能な取引科目に対応した各取引ボタン２５ｅ〜２５ｇが表示されている。
【００３６】
また、図６に示された例では、他行カードによる預金の引き出し又は振込みを行う際には、所定の手数料が必要とされる旨が表示されている。この案内は、前記した取引情報テーブル２１における「手数料」の情報に基づいて、必要に応じて表示される。これにより、顧客は、取引に先立って、各取引項目に予め設定されている手数料を認識することができる。
【００３７】
前記した初期画面２２において、クレジットカードボタン２３ｃが選択された場合は、図７に示す取引科目選択画面２４ｃが表示される。取引科目選択画面２４ｃの取引科目表示領域２５には、キャッシングのための「キャッシング」ボタン２５ｈ、クレジットローン等の返済のための「ご返済」ボタン２５ｉおよび過去の取引を照会するための「ご照会」ボタン２５ｊが設けられている。顧客は、取引科目選択画面２４ｃにより、取引時にクレジットカードの何れの取引科目が取り扱い可能であるのかを認識することができる。
【００３８】
また、自動取引システム１０では、単一の取引カードにより複数の金融機関のうちの所望の金融機関との取引を行うことができる、いわゆる共用取引カードを利用することができる。その場合、顧客は、初期画面２２において、当該共用カードに対応する複数の取引カードの中から、所望のカードを選択することができる。例えば、Ａ銀行カードおよびクレジットカードの共用取引カードにより、Ａ銀行カードによる取引を行いたい場合、初期画面２２でＡ銀行カードボタン２３ａを選択することにより、Ａ銀行カードによる取引を指示することができる。
【００３９】
前記した各取引科目選択画面２４ａ〜２４ｃにおいて、表示されている画面に対応しない取引カードが供給された場合、その取引カードをカード取扱口１８から排出すると共に、例えば「挿入されたカードはＡ銀行カード（他行カード、クレジットカード）ではありません。」のように、挿入すべきカードが誤っている旨を表示することが望ましい。このとき、取引カードの排出後、所定時間待機し、その間に顧客から改めて正しい取引カードが挿入されたことを認識したとき、当該画面による取引を続行するようにすることができる。
【００４０】
前記した自動取引システム１０における一連の取引動作を、図８に示すフローチャートに沿って説明する。
ＡＴＭ１３は、所定の時間毎にホストコンピュータ１２へ取引情報テーブル２１を要求し（ステップＳ１）、この要求に応じて供給された取引情報テーブル２１を記憶部１４に格納する（ステップＳ２）。このとき、記憶部１４に既に取引情報テーブル２１が格納されている場合は、既に格納されているテーブルを新たに取得した前記テーブルに更新する。
【００４１】
ＡＴＭ１３は、顧客を待ち受ける間（ステップＳ３）、表示部１５に図示しない所定の待ち受け画面を表示する。近接センサにより顧客の到来が感知されたとき、表示部１５の画面を、前記待ち受け画面から初期画面２２へ移行させ（ステップＳ４）、この初期画面２２に表示される各カードボタン２３ａ〜２３ｃから、所望の取引カードに対応するカードボタンが選択されるのを待機する（ステップＳ５）。
【００４２】
ＡＴＭ１３は、初期画面２２でいずれかのカードボタンが選択されたことを認識すると、表示部１５の画面を、初期画面２２から、選択された取引カードに対応する取引科目選択画面（２４ａ、２４ｂまたは２４ｃ）に移行させる。さらに、当該選択画面において所望の取引科目の選択を促すと共に、取引カードの挿入を促す（ステップＳ６）。
【００４３】
顧客により、取引カードがカード取扱口１８から挿入されると、表示制御部１６は、表示されている取引科目選択画面と、挿入された取引カードとを照合し、両者が対応しているか否かを判定する（ステップＳ７）。その結果、両者が互いに対応していれば、選択された取引科目に応じた処理が実行され（ステップＳ８）、当該処理が終了したとき、カード取扱口１８から取引カードが排出される（ステップＳ９）。
【００４４】
また、表示されている取引科目選択画面と、挿入された取引カードとが対応しない場合は、前記したように、挿入すべき取引カードが正しくない旨を表示した後、当該取引を中止すべくステップＳ９に移行し、顧客に取引カードを返却する。
【００４５】
これにより、一連の取引動作が終了するが、顧客が継続して他の取引を行うべく待機する場合は、表示部１５に再び初期画面２２が表示され、顧客が立ち去った場合は、再び前記した所定の待ち受け画面が表示される。
【００４６】
前記した具体例の自動取引システム１０によれば、ＡＴＭ１３を利用した取引に先立って、該ＡＴＭの表示部１５に、その時点で利用可能な取引カードが選択可能に表示されることから、顧客は、利用しようとする取引カードがＡＴＭ１３で受け付けられるか否かを認識することができる。
【００４７】
また、取引カードの選択後に、選択された取引カードで実行可能な取引科目が選択可能に表示されることから、顧客は、所望の取引カードによる所望の取引科目の取引が可能であるか否かを認識することができる。
しかも、前記した具体例によれば、実行可能な取引科目と共に、当該各取引科目に対応する手数料の案内が表示されることから、例えば、取引後に受け取る取引明細票により、初めて手数料の加算を認識するような不都合が回避できる。
【００４８】
前記した具体例では、取引情報テーブル２１が、ＡＴＭ１３からホストコンピュータ１２への要求に応じてＡＴＭ１３に供給されたが、これに代えて、ホストコンピュータ１２から自動的に供給するように適宜設定することができる。
【００４９】
前記した例では、他行カードを、所定の他行に対応する取引カードとして説明したが、複数の他行カードから所定の他行カードによる取引を指定するようにすることができる。例えば、前記した初期画面２２で他行カードボタン２３ｂが選択された後、取引科目選択画面２４ｂに移行する前に、複数の他行カードを選択可能に表示する画面を挿入する。その場合、例えば、挿入された画面に、初期画面２２のカード表示領域２３と同様な領域を設け、該領域に複数の他行カードボタンを適宜配置することにより実現することができる。このような画面の挿入は、クレジットカードボタン２３ｃについても同様に行うことができる。
【００５０】
また、初期画面２２で取引カードを選択することなくカードが挿入された場合に、挿入された取引カードの種別を、表示制御部１６により自動的に判定し、その判定結果に対応したカードボタンを初期画面２２に表示するようにすることができる。これにより、特に、前記した共用取引カードの利用の際には、当該カードで利用可能な複数の金融機関に対応する各取引カードを、初期画面２２により認識することができる。
【００５１】
本発明に係る自動取引システムで取扱可能な取引カードは、前記した具体例で説明した銀行の取引カードおよびクレジットカードに限らず、その他の金融機関に対応する取引カードを用いることができる。例えば、郵便貯金に対応した郵便貯金カードおよび郵便貯金クレジット共用カード等を採用することができる。
【００５２】
本発明に係る自動取引システムによれば、自動取引装置での取引時に、取り扱いが可能な取引カードが予め選択可能に表示されることから、顧客は、利用しようとする取引カードが当該自動取引装置で受け付けられるか否かを認識することができる。これにより、顧客は、自動取引装置での取引操作を効率的に行うことができる。
【符号の説明】
【００５３】
１０  自動取引システム
１１  金融機関
１２  ホストコンピュータ
１２ａ  記憶部
１３  ＡＴＭ
１４  記憶部
１５  表示部
１６  表示制御部
１７  ハウジング
１８  カード取扱口
１９  明細票取出口
２０  現金取扱口
２１  取引情報テーブル
２２  初期画面
２３  カード表示領域
２３ａ〜２３ｃ  カードボタン
２４ａ〜２４ｃ  取引科目選択画面
２５  取引科目表示領域
２５ａ〜２５ｊ  取引ボタン
２６  取り消しボタン
【図１】
2010176712.tif 000003
【図２】
2010176712.tif 000004
【図３】
2010176712.tif 000005
【図４】
2010176712.tif 000006
【図５】
2010176712.tif 000007
【図６】
2010176712.tif 000008
【図７】
2010176712.tif 000009
【図８】
2010176712.tif 000010